(57)【要約】【課題】  下降位置でもグリッパを閉じることができる、横編機の端糸処理装置を提供する。【解決手段】  ユニット１０では、グリッパ１１を、（ａ）に示す上昇位置と、（ｂ）に示す下降位置との間で昇降させることができる。グリッパ１１の昇降は、駆動軸１５の回動によって行う。グリッパ１１の下端の把持部１１ａを開くためには、駆動軸２５を回動させ、切換え手段３０の揺動ストッパ３１で、押え部材１３の下降を阻止する。駆動軸２５を回動させて、グリッパ１１の下降位置でも、揺動ストッパ３１で押え部材１３の下降を阻止しないように切換えることもできるので、下降位置でグリッパ１１の把持部１１ａを閉じることが可能になる。【選択図】図１
2014221958.tif 000002
【特許請求の範囲】
【請求項１】
横編機で給糸部材から供給される編糸を、捕捉して把持が可能なように、下端の把持部が開閉するグリッパをそれぞれ備えて、歯口に沿って走行可能な二つのユニットを有し、
各グリッパは、
下端にフックが設けられ、フックの位置が歯口内の針底交点に近接する下降位置、および歯口から退避する上昇位置の間で昇降するように駆動されるフック部材と、
一端がフック部材に掛けられる引張りばねと、
下端に押圧部が設けられ、引張りばねの他端が掛けられ、引張りばねを介してフック部材と連動して昇降可能な押え部材とをそれぞれ含み、
フックと押圧部とで把持部をそれぞれ形成する、
横編機の端糸処理装置において、
各ユニットは、切換え手段をそれぞれ備え、
各切換え手段は、各ユニット自身が備えるグリッパの押え部材およびフック部材に対し、押え部材がフック部材に連動して下降しないように阻止するか、阻止しないかを切換える、
ことを特徴とする横編機の端糸処理装置。
【請求項２】
前記二つのユニットの走行方向に延びて、軸線まわりに回動する少なくとも二本の駆動軸が設けられ、
各ユニットのフック部材の昇降駆動は、当該ユニットにそれぞれ割当てられている駆動軸の回動に基づいて行われ、
前記各切換え手段は、
該切換え手段を備えるユニットに割当てられている駆動軸とは異なる駆動軸の回動を伝達する伝達機構と、
伝達機構で伝達される回動に応じて揺動し、予め定める揺動状態となると、前記押え部材の下降を阻止可能な揺動ストッパとを含む、
ことを特徴とする請求項１記載の横編機の端糸処理装置。
【請求項３】
前記駆動軸）は、二本設けられて、前記二つのユニットにそれぞれ割当てられ、
前記各切換え手段に含まれる伝達機構は、
該切換え手段を備えるユニットに割当てられている駆動軸で、前記走行方向への移動、および軸線まわりの回動が可能なように支持される従動歯車と、
該ユニットとは異なるユニットに割当てられている駆動軸で、該走行方向に移動可能に支持され、軸線まわりの回動で駆動され、従動歯車と噛合する駆動歯車と、
を備え、
前記揺動ストッパは、従動歯車と同軸に設けられる、
ことを特徴とする請求項２記載の横編機の端糸処理装置。
【発明の詳細な説明】
【技術分野】
【０００１】
本発明は、横編機での編地編成時に、編糸の捕捉、保持および切断が可能な、横編機の端糸処理装置に関する。
【背景技術】
【０００２】
従来から、横編機には、編地を編成する際に編針から給糸部材に延びる編糸を捕捉して保持したり切断したりすることが可能な端糸処理装置が併用される（たとえば、特許文献１、２参照）。これらの端糸処理装置は、独立して移動可能でそれぞれグリッパを有する二つのユニットと、ユニットの一方に設けられる鋏み状のカッタとを備える。各ユニットは、前後の針床が対峙する歯口に臨みながら、針床の長手方向に沿って移動し、移動を案内する軌道を駆動軸として、駆動軸の回動でグリッパの動作が制御される。二つのユニットは、相互間の距離が近い接近状態で連携して行う連携動作と、相互間の距離が離れている離隔状態での単独動作とを行う。
【０００３】
図９は、横編機１に設けられる端糸処理装置の動作を簡略化して示す。（ａ）に示すように、横編機１では、前後に針床を有し、前針床からは編針５、後針床からは編針６が、それぞれフック５ａ，６ａを歯口８に進出させ、給糸部材９から給糸される編糸９ａで編地を編成する。端糸処理装置は、グリッパ１１を、下端の把持部１１ａが針底交点８ａから後針床側の上方に退避する上昇位置と、把持部１１ａが針底交点８ａに近接する下降位置との間で昇降移動させることができる。把持部１１ａは、上昇位置では編糸９ａを強く把持するように閉じ、下降位置では、連携動作時には開き、単独動作時には編糸９ａを弱く把持する程度に開く半開の状態となる。グリッパ１１は、図に示すフック部材と、図示を省略している押え部材とで形成される。このような端糸処理装置は、特許文献１の図２０に記載されているような、指袋編成時の端糸処理を可能にする。
【０００４】
一つの指袋の編成終了後には、指袋の終端部分に続く編糸を引出しながら、給糸部材９が指袋から離れる。二つのユニットが給糸部材９と指袋との間に移動し、連携して、グリッパ１１を下降位置まで下げて開くと、両方のグリッパ１１で指袋から給糸部材９まで延びる編糸９ａの途中部分を捕捉することができる。編糸９ａを捕捉したグリッパ１１を上昇位置まで上げて閉じると、両方のグリッパ１１間に編糸９ａを保持することができ、保持した編糸９ａをカッタで切断すると、給糸部材９側のグリッパ１１では給糸部材９まで延びる編糸９ａの端部、編地側のグリッパ１１では編地の終端部分から引出された編糸９ａの端部を、それぞれ把持する状態となる。編地側のユニットを給糸部材９側のユニットから離して単独動作させ、グリッパ１１を下降位置まで下げると、半開の状態となるので、編糸９ａの端部を指袋内に挿入しながら離すことができる。
【０００５】
給糸部材９側のグリッパ１１は、次に編成する編地を編出す際に、給糸部材９が移動しながら給糸する編糸９ａの端部を把持し続ける。図９（ｂ）は、後針床の編針６のフック６ａに、給糸部材９から給糸して編出すことを想定した場合に、編糸９ａの端部を把持するグリッパ１１と後針床側の編針６との関係を示す。図９（ｃ）は、編糸９ａでコース方向の編目列が形成された状態で、把持部１１ａが編出し側の編糸９ａの端部を把持している状態を示す。なお、針床の長手方向の端部にフックバーを備えて編糸９ａを保持可能な編糸保持切断装置が設けられていれば、編糸９ａの端部をグリッパ１１の把持部１１ａからフックバーに持ち替える動作も行われる（たとえば、特許文献３参照）。
【先行技術文献】
【特許文献】
【０００６】
【特許文献１】特許第４０１５９８０号公報
【特許文献２】国際公開第２００９／０８４１９３号
【特許文献３】特許第４０１５９７３号公報
【発明の概要】
【発明が解決しようとする課題】
【０００７】
特許文献１、２に示すような従来の端糸処理装置は、グリッパ１１の上昇位置のみで把持部１１ａが閉じ、下降位置では、連携動作で開き、単独動作で半開の状態となるけれども、閉じることはできないという制約がある。この制約によって、給糸部材９側のグリッパ１１が編糸９ａの端部を把持し、給糸部材９が移動しながら給糸して編出す際に使用する編針は、端糸処理装置が後針床側から歯口８に臨んでいると、図９（ａ）に示すように、前針床から歯口８に進出する編針５に限られる。図９（ｂ）に示すように、後針床から歯口８に進出する編針６は、フック６ａで上昇位置のグリッパ１１の把持部１１ａと給糸部材９との間の編糸９ａを捕捉することが困難となるので、給糸することができない。また、前針床から歯口８に進出する編針５のフック５ａへ給糸する編出しは可能でも、グリッパ１１が上昇位置で編糸９ａの端部を把持しているため、図９（ｃ）に示すように、編成された編地の始端部分からグリッパ１１の把持部１１ａで把持する端部まで延びる端糸が長くなってしまう。さらに、針床の長手方向の端部に、フックバーを備える編糸保持切断装置が設けられていても、上昇位置のグリッパ１１が把持する編糸９ａを、後針床側のフックバーに持ち替えることができない。
【０００８】
本発明の目的は、従来の端糸処理装置のような制約がなく、下降位置でもグリッパを閉じることができる、横編機の端糸処理装置を提供することである。
【課題を解決するための手段】
【０００９】
本発明は、横編機で給糸部材から供給される編糸を、捕捉して把持が可能なように、下端の把持部が開閉するグリッパをそれぞれ備えて、歯口に沿って走行可能な二つのユニットを有し、
各グリッパは、
下端にフックが設けられ、フックの位置が歯口内の針底交点に近接する下降位置、および歯口から退避する上昇位置の間で昇降するように駆動されるフック部材と、
一端がフック部材に掛けられる引張りばねと、
下端に押圧部が設けられ、引張りばねの他端が掛けられ、引張りばねを介してフック部材と連動して昇降可能な押え部材とをそれぞれ含み、
フックと押圧部とで把持部をそれぞれ形成する、
横編機の端糸処理装置において、
各ユニットは、切換え手段をそれぞれ備え、
各切換え手段は、各ユニット自身が備えるグリッパの押え部材およびフック部材に対し、押え部材がフック部材に連動して下降しないように阻止するか、阻止しないかを切換える、
ことを特徴とする横編機の端糸処理装置である。
【００１０】
また本発明で、前記二つのユニットの走行方向に延びて、軸線まわりに回動する少なくとも二本の駆動軸が設けられ、
各ユニットのフック部材の昇降駆動は、当該ユニットにそれぞれ割当てられている駆動軸の回動に基づいて行われ、
前記各切換え手段は、
該切換え手段を備えるユニットに割当てられている駆動軸とは異なる駆動軸の回動を伝達する伝達機構と、
伝達機構で伝達される回動に応じて揺動し、予め定める揺動状態となると、前記押え部材の下降を阻止可能な揺動ストッパとを含む、
ことを特徴とする。
【００１１】
また本発明で、前記駆動軸は、二本設けられて、前記二つのユニットにそれぞれ割当てられ、
前記各切換え手段に含まれる伝達機構は、
該切換え手段を備えるユニットに割当てられている駆動軸で、前記走行方向への移動、および軸線まわりの回動が可能なように支持される従動歯車と、
該ユニットとは異なるユニットに割当てられている駆動軸で、該走行方向に移動可能に支持され、軸線まわりの回動で駆動され、駆動歯車と噛合する従動歯車と、
を備え、
前記揺動ストッパは、従動歯車と同軸に設けられる、
ことを特徴とする。
【発明の効果】
【００１２】
本発明によれば、各ユニットは、各ユニット自身に備えるグリッパの押え部材がフック部材に連動して下降しないように阻止するか、阻止しないかを切換える切換え手段をそれぞれ備える。切換え手段は、フック部材の下端に設けるフックの位置が歯口内の針底交点に近接する下降位置となっても、押え部材の下降を阻止しないで、把持部が閉じるように切換えることができる。下降位置でもグリッパの把持部が閉じるように切換えられると、従来の端糸処理装置の制約はなくなり、端糸処理装置が歯口に臨む位置に近い針床から歯口に進出する編針のフックに給糸して編地を編出すこともできる。下降位置のグリッパが編出し時の端糸を把持するので、編成された編地の始端部分からグリッパで把持する端部まで延びる端糸が長くならないようにすることができる。また、針床の端部に、フックバーを編針と同様に歯口に進出させて編糸を保持する編糸保持装置が設けられていれば、端糸処理装置が設けられている針床側のフックバーにも、グリッパで把持する端糸を持ち替えることができる。
【００１３】
また本発明によれば、各ユニットには、グリッパのフック部材を昇降させるように、駆動軸が割当てられる。各ユニットに割当てられている駆動軸とは異なる駆動軸の回動を利用し、切換え手段の揺動ストッパによる押え部材の下降阻止の切換えを行うことができるので、グリッパの把持部の昇降と開閉とは、異なる駆動軸の回動でそれぞれ駆動することができる。
【００１４】
また本発明によれば、切換え手段の伝達機構は、該切換え手段を備えるユニットと異なるユニットに割当てられる駆動軸の回動を利用して駆動される駆動歯車と、該切換え手段を備えるユニットに割当てられる駆動軸に、走行方向への移動、および軸線まわりの回動が可能なように支持されて駆動歯車と噛合する従動歯車とを備える。揺動ストッパは、従動歯車と同軸に設けられるので、切換え手段を、端糸処理装置の各ユニットに、構成部品が少ない状態で備えることができる。
【図面の簡単な説明】
【００１５】
【図１】図１は、本発明の一実施例としての横編機１の端糸処理装置２に含まれる一つのユニット１０の概略的な構成を簡略化して示す側面断面図である。
【図２】図２は、図１のユニット１０での切換え手段３０の動作と、他のユニット２０の動作との関係を示す、簡略化した側面断面図である。
【図３】図３は、図１のユニット１０での切換え手段３０の動作と、他のユニット２０の動作との関係を示す、簡略化した側面断面図である。
【図４】図４は、二つのユニット１０，２０を含む端糸処理装置２の構成を示す簡略化した正面図である。
【図５】図５は、ユニット１０に使用するグリッパ１１の構成部品を示す正面図および右側面図である。
【図６】図６は、ユニット２０に使用するグリッパ２１の構成部品を示す正面図および右側面図である。
【図７】図７は、ユニット１０に使用するグリッパ１１の昇降機構１９および切換え手段３０の構成部品を示す正面図および右側面図である。
【図８】図８は、ユニット２０に使用するグリッパ２１の昇降機構２９および切換え手段４０の構成部品を示す正面図および右側面図である。
【図９】図９は、端糸処理装置２の動作を、簡略化して示す図である。
【発明を実施するための形態】
【００１６】
以下、図１〜図９で、本発明の一実施例としての端糸処理装置２の構成および動作を示す。各図についての説明では、説明対象の図には記載されていない部分について、他の図に記載される参照符を付して言及する場合がある。また、端糸処理装置２が備える二つのユニット１０，２０では、１位の数値が同一で１０位の数値が１０だけ異なる部分同士が対応するので、ユニット１０について説明した事項がユニット２０についても該当する場合、ユニット２０についての対応する部分についての重複する説明を省略する場合がある。
【実施例】
【００１７】
図１は、本発明の一実施例としての横編機１の端糸処理装置２に含まれる一つのユニット１０の概略的な構成を簡略化して示す。横編機１は、少なくとも前針床３および後針床４を備える。前針床３および後針床４には、紙面に垂直となる長手方向に沿って、多数の編針５，６がそれぞれ並設される。端糸処理装置２は、前針床３および後針床４の長手方向に架設される軌道７を走行し、後針床４側から、前針床３と後針床４との間の歯口８に臨む。歯口８の上方には、図９（ａ）〜（ｃ）で示したように、編糸９ａを編針５，６のフック５ａ，６ａに給糸する給糸部材９が設けられる。
【００１８】
図１に示すユニット１０は、給糸部材９から供給される編糸を、捕捉して把持が可能なように、下端の把持部１１ａが開閉するグリッパ１１を備え、歯口８に沿って走行可能である。グリッパ１１は、フック部材１２、押え部材１３および引張りばね１４を含む。引張りばね１４は、一端がフック部材１２に掛けられ、他端が押え部材１３に掛けられる。押え部材１３は、引張りばね１４を介してフック部材１２と連動して昇降する。フック部材１２の先端には、フック１２ａが設けられる。引張りばね１４によって、フック１２ａを押え部材１３の先端の押圧部１３ａで押圧するように付勢される。押圧部１３ａがフック１２ａを押圧する状態で、グリッパ１１の下端の把持部１１ａは閉じ、押圧部１３ａのフック１２ａへの接近が阻止される状態で、把持部１１ａは開く。
【００１９】
端糸処理装置２は、ユニット１０とともに、図２〜図４に示すように、ユニット１０に対応する構成を備えるユニット２０を有する。二つのユニット１０，２０は、歯口８に沿って、図１の紙面に垂直な方向に走行することが可能である。走行のための構成は、特許文献１，２と同様に行うので、説明を省略する。二つのユニット１０，２０に対し、走行方向に延びて、軸線まわりに回動する二本の駆動軸１５，２５が設けられる。各ユニット１０，２０のフック部材１２，２２の昇降駆動は、当該ユニット１０，２０にそれぞれ割当てられている駆動軸１５，２５の回動に基いて、それぞれ行われる。
【００２０】
ユニット１０では、グリッパ１１を、図１（ａ）に示すように、把持部１１ａが歯口８の針底交点８ａから後針底４側の上方に退避する上昇位置と、図１（ｂ）に示すように、把持部１１ａが針底交点８ａに近接する下降位置との間で昇降させることができる。ユニット１０に割当てられている駆動軸１５には、リンク駆動部材１６の基端側が係合し、回動に応じて先端側が揺動する。駆動軸１５とともに設けられる駆動軸２５は、もう一つのユニット２０でグリッパ２１を昇降させるために設けられているけれども、リンク従動部材１７の基端側を、軸線まわりに揺動可能な状態で支持するために利用する。リンク駆動部材１６およびリンク従動部材１７の先端側には、リンク連結部材１８をそれぞれ連結して、四辺形リンクを形成する。この四辺形リンクは、グリッパ１１の昇降機構１９を形成する。フック部材１２は、リンク連結部材１８に取付けられて、昇降機構１９による上昇位置と下降位置との間での昇降が可能になる。
【００２１】
図１（ａ）および図１（ｂ）に示すように、上昇位置でも下降位置でも、フック部材１２の昇降に押え部材１３が引張りばね１４を介して連行される状態では、グリッパ１１の把持部１１ａは閉じる。本実施例では、把持部１１ａを開くために、ユニット１０自身に備えられる切換え手段３０の揺動ストッパ３１で、ユニット１０自身の押え部材１３の下降を阻止する。揺動ストッパ３１は、駆動軸２５の回動が伝達機構３２を介して伝達され、揺動変位する先端が押え部材１３の下降を阻止する位置に達するか否かで、切換えを行う。伝達機構３２は、駆動軸２５に軸線方向の移動自在に取付けられる駆動歯車３３と、駆動歯車３３に噛合し、駆動軸１５に軸線方向の移動と軸線まわりの回動とが自在に支持される従動歯車３４とを含む。ユニット１０の各構成部分の基礎として、軌道７に沿って摺動移動可能なベース部材３５が設けられる。
【００２２】
なお、歯口８を挟んで対向する針床３，４は、歯口８側が高く、歯口８から離れると低くなるように傾斜しており、グリッパ１１の昇降も、たとえば４５度に傾斜した方向に行われる。ただし、以下の図２および図３では、説明の便宜上、グリッパ１１，２１の昇降方向を、図面の上下方向で示す。
【００２３】
図２および図３は、（ａ）で示すユニット１０での切換え手段３０の動作と、（ｂ）で示す他のユニット２０の動作との関係を示す。本実施例では、ユニット１０では駆動軸１５の回動でグリッパ１１の昇降機構１９を駆動し、駆動軸２５の回動で揺動ストッパ３１の切換えを行う。駆動軸２５は、他のユニット２０のグリッパ２１の昇降機構２９を駆動するために設けられているので、ユニット１０とユニット２０とが離れていて単独動作を行う場合でも、一方で切換えを行えば、他方でのグリッパの位置に影響が生じる。したがって、単独動作では、他方のユニットをグリッパの位置が編成動作に影響しない場所に移動させておけばよい。二本の駆動軸１５，２５で二つのユニット１０，２０のグリッパ１１，２１をそれぞれ昇降させ、切換え手段３０，４０での切換えを行うことができるので、端糸処理装置２の構成を簡略化してコスト低減を図ることができる。
【００２４】
図２（ａ）および図３(a)に示すように、ユニット１０のグリッパ１１が下降位置に下降していても、押え部材１３の下降阻止部１３ｂを揺動ストッパ３１に当接させて下降を阻止すれば、半開および全開の状態をそれぞれ実現することができる。揺動ストッパ３１を駆動軸２５で駆動する関係上、ユニット２０のグリッパ２１は、図２（ａ）に対応する図２（ｂ）では上昇位置と下降位置との中間の中間位置、図３（ａ）に対応する図３（ｂ）では下降位置になる。
【００２５】
したがって、端糸処理装置２の基本的な動作は、次のようになる。
グリッパ１１  グリッパ２１
Ａ：下降位置・閉  上昇位置・閉
Ｂ：下降位置・半開  中間位置・閉
Ｃ：下降位置・開  下降位置・開
Ｄ：上昇位置・閉  上昇位置・閉
Ｅ：上昇位置・閉  下降位置・閉
Ｆ；中間位置・閉  下降位置・半開
【００２６】
本実施例によれば、特許文献１の図２０に記載されているような、指袋編成時の端糸処理を、二つのユニットでＢ，Ｃ，Ｄ，Ｆの動作を組合せて行うことができるばかりではなく、Ａ，Ｅで、下降位置で把持部１１ａを閉じる動作も、ユニット単独で可能となる。
【００２７】
従来の端糸処理装置では、二つのユニットのグリッパがともに下降位置となるときに、単独動作では半開でも、連携動作では開となるように、二つのユニットが自ユニットの押え部材の下降を阻止するストッパと、相手のユニットの押え部材の下降を阻止するストッパとを備えている。自ユニットの押え部材の下降を阻止するストッパは、下降位置でグリッパを半開にするために、下降位置に下降するまでに、自ユニットの押え部材の下降を阻止する。連携動作での相手ユニットのストッパは、自ユニットのストッパよりも高い位置で押え部材の下降を阻止して、下降位置まで下がると把持部が全開になるようにする。このように、自ユニットにも押え部材の下降を阻止するストッパが設けられているので、単独動作でも、フック部材の下降位置まで押え部材を連行して下降させることができず、下降位置で把持部を閉にすることができない。また、Ｂ，Ｃ，Ｆの動作の切換えは、二つのユニット間の接離を伴い、ユニット単独で行うことができない。
【００２８】
図４は、二つのユニット１０，２０を含む端糸処理装置２の全体的な構成を簡略化して示す。ユニット１０には、カッタ機構５０が取付けられ、カッタ５１で、グリッパ１１，２１間に保持する編糸を切断することができる。カッタ機構５０には、カッタ５１を作動させるための受動部５２が設けられ、ユニット２０のリンク駆動部材２６の端部に設ける駆動部２６ａと係合して駆動される。この駆動は、図示の間隔よりもユニット１０，２０が接近しての連携動作として行われる。
【００２９】
なお、他の図に示すユニット１０では、カッタ機構５０の図示を省略している。また、リンク連結部材１８がリンク駆動部材１６およびリンク従動部材１７とそれぞれ連結されるリンク軸１８ａ，１８ｂの先端は、止め輪１８ｃ，１８ｄで止められる。リンク連結部材２８がリンク従動部材２７およびリンク駆動部材２７とそれぞれ連結されるリンク軸２８ａ，２８ｂの先端は、止め輪２８ｃ，２８ｄで止められる。フック部材１２，２２はリンク連結部材１８，２８に、取付けねじ１９ａ，１９ｂ；２９ａ，２９ｂでそれぞれ取付けられる。フック部材１２，２２のリンク連結部材１８，２８に対する取付け位置の調整のために、偏心カラーを押える調整ねじ１９ｃ，２９ｃがそれぞれ設けられている。止め輪１８ｃ，１８ｄ，２８ｃ，２８ｄ、取付けねじ１９ａ，１９ｂ，２９ａ，２９ｂ、調整ねじ１９ｃ，２９ｃの図示も、他の図では省略している。
【００３０】
図５および図６は、ユニット１０，２０に使用するグリッパ１１，２１の構成部品をそれぞれ示す。（ａ）はフック部材１２，２２、（ｂ）は押え部材１３，２３、（ｃ）はリンク連結部材１８，２８を、それぞれ正面視および右側面視として示す。リンク連結部材１８，２８のリンク軸１８ａ，１８ｂ，２８ａ，２８ｂの先端付近には、止め輪１８ｃ，１８ｄ，２８ｃ，２８ｄを止めるための溝１８ｅ，１８ｆ，２８ｅ，２８ｆが形成されている。
【００３１】
図７は、ユニット１０に使用するグリッパ１１の昇降機構１９および切換え手段３０の構成部品を示す。（ａ）はベース部材３５、（ｂ）はリンク駆動部材１６、（ｃ）は従動歯車３４、（ｄ）はリンク従動部材１７、（ｅ）は駆動歯車３３を、それぞれ正面視および右側面視として示す。揺動ストッパ３１は、従動歯車３４の一部が延出されて一体形状として形成されているけれども、別体でも同軸に連結され、従動歯車３４と連動して揺動すればよい。また、駆動歯車３３および従動歯車３４は、ユニット２０の駆動歯車４３および従動歯車４４としても使用する。駆動歯車３３および従動歯車３４には、外周のうちで、使用する範囲のみに歯が設けられている。ただし、ユニット１０の伝達機構３２とユニット２０の伝達機構４２とでは、使用する歯の範囲が異なるので、歯はニ箇所に分けて設けられているけれども、全周に歯を設けてもよい。なお、伝達機構３２，４２は、駆動歯車３３，４３と従動歯車３４，４４との組合せばかりではなく、プーリとタイミングベルトとの組合せや、クランク機構などを介してストッパを出没させて、実現することもできる。
【００３２】
図８は、ユニット２０に使用するグリッパ２１の昇降機構２９の構成部品を示す。（ａ）はベース部材４５、（ｂ）はリンク駆動部材２６を、それぞれ正面視および右側面視として示す。前述のように、他の部品は、図７に示すユニット１０の部品と共用される。たとえば、図７（ｃ）に示す従動歯車３４は、ユニット２０では従動歯車４４として使用し、従動歯車３４から延出される揺動ストッパ３１は、従動歯車４４では揺動ストッパ４１となる。
【００３３】
図９は、本実施例の端糸処理装置２のグリッパ１１を使用することによって得られる効果を、簡略化して示す。他のグリッパ２１も同様の効果を有する。
【００３４】
グリッパ１１の把持部１１ａは、（ｄ）に示す下降位置でも閉じて編糸９ａの端部を把持することができるので、前針床３の編針５ばかりではなく、（ｅ）に示すように、後針床４の編針６にも給糸可能となる。また、（ｆ）に示すように、グリッパ１１の把持部１１ａが編出し部分の編糸９ａの端部を低い下降位置で把持するので、編出し部分の端糸の長さを、（ｃ）で示すような上昇位置で把持する場合よりも短くすることができる。針床の長手方向の端部に、編糸９ａの端部を保持するフックバーが設けられていれば、下降位置のグリッパ１１の把持部１１ａから後針床側のフックバーへも、編糸９ａの持ち替えを行うことができる。
【００３５】
また、図２（ａ）に示す半開状態は、揺動ストッパ３１の先端の位置を変えて調整することができる。ユニット１０では、他のユニット２０に割当てられている駆動軸２５の回動で揺動ストッパ３１の先端の位置を変える場合、ユニット２０のグリッパ２１の中間位置の高さを変えて調整することになる。本実施例によれば、特許文献１の図２０に示すような、終端部の端糸９ａを編地内に挿入する処理で、編糸の太さに応じて適切な半開状態を得ることができる。
【００３６】
なお、本実施例では、二本の駆動軸１５，２５の回動を兼用して、グリッパ１１，２１の昇降と切換え手段３０，４０での切換を行うようにしているけれども、駆動軸を増やせば、昇降と切換えとを独立して駆動することができる。また、従動歯車３４，４４の支持には、駆動軸２５，１５を使用しないで、専用の支持軸を設けるようにしてもよい。切換え手段３０，４０は、ソレノイドやモータなどをユニット１０，２０に搭載して、揺動ストッパ３１，４１に相当する部材を出没させて実現することもできる。
【符号の説明】
【００３７】
１  横編機
２  端糸処理装置
３  前針床
４  後針床
５，６  編針
８  歯口
９  給糸部材
１０，２０  ユニット
１１，２１  グリッパ
１２，２２  フック部材
１３，２３  押え部材
１４，２４  引張りばね
１５，２５  駆動軸
１９，２９  昇降機構
３０，４０  切換え手段
３１，４１  揺動ストッパ
３２，４２  伝達機構
３４，４４  従動歯車
【図１】
2014221958.tif 000003
【図２】
2014221958.tif 000004
【図３】
2014221958.tif 000005
【図４】
2014221958.tif 000006
【図５】
2014221958.tif 000007
【図６】
2014221958.tif 000008
【図７】
2014221958.tif 000009
【図８】
2014221958.tif 000010
【図９】
2014221958.tif 000011